(57)【特許請求の範囲】
【請求項１】
基板に１または複数の突起を設けた突起部材と、
上面に、前記突起部材の基板を、その突起を上向けて着脱自在に嵌合できる凹部を設け、その凹部底に、前記基板の突起を下向けて該突起を嵌入できる凹部または貫通孔を設け、前記突起を下向けて、該突起を前記凹部または貫通孔に嵌挿し、かつ、基板を凹部に嵌合して、基板の底面と台の上面とを面一にすることを可能とする台と、
よりなり、前記突起部材の突起を上向けて前記凹部に前記基板を着脱自在に嵌合して突起を前記台の上面に起立させた状態と、前記突起を下向けて、前記凹部底の凹部または貫通孔に嵌入し、前記基板を着脱自在に前記凹部に嵌合して、前記基板の底面と前記台の上面とを面一にした状態とすることを選択可能とする足裏を刺激するための健康具。
【請求項２】
健康具の台が、履物の台、履物の中敷、足踏板または振動台のいずれかであることを特徴とする請求項１に記載の足裏を刺激するための健康具。
【発明の詳細な説明】
【０００１】
【発明の属する技術分野】
この発明は、足裏を刺激するための健康履物、および中敷、振動台、足踏み具等の健康具に関するものである。
【０００２】
【従来の技術】
従来、健康履物としては、履物の台の表面の全面、または足裏のツボの位置に対応した面に突部を設けたものがある。
これらを使用することにより足裏全面または特定のツボを刺激している。
【０００３】
従来の足踏み具は、平面または曲面に多数の突部を設けており、足踏み具の上で足踏みをすることによって、足裏全面を刺激している。
【０００４】
従来の振動台は、台の上面に多数の突部が設けられており、その上に足を載せて振動台を電気で振動させ足裏を刺激させている。
【０００５】
【発明が解決しようとする課題】
従来の健康履物の台の表面の突部は固定されたもので、外出に使用すると、台の表面全面に突部を設けている場合には、長時間足裏全面を押すことになり、台の表面で足裏の特定のツボを押すための部分的な位置に突部を設けている場合には、特定のツボ以外のツボを刺激することができず、また、特定のツボのみを長時間押すことになり、かえって身体障害の原因となる。
【０００６】
従来の足踏み具も振動台も、足裏の特定のツボのみを押すことが出来ず、爪先を上げて踵を押し、踵を上げて爪先を押すようにして押す場所を変更しなければならず、その変更が容易でなく、また、土踏まずや特定の部位だけを押すのは難しい。
【０００７】
この発明は、足裏を押す突部の位置を選択変更して、足裏の同一箇所を長時間押すことを避けることが出来る履物の台および中敷、足踏み具、振動台等健康具を提供することを目的とする。
【０００８】
【課題を解決するための手段】
履物の台、履物の中敷、足踏板および振動台等足裏を刺激するための健康具の上面に１または複数の凹部または貫通孔を設け、これら凹部または貫通孔に突起部材の下部を嵌挿して該突起部材を着脱自在に装着することを可能とする。
【０００９】
前記突起部材が基板に複数の突起を設けてなり、凹部を、前記基板を着脱自在に嵌合することを可能とするのが好ましい。
【００１０】
前記突起部材が基板に突起を設けてなり、凹部を前記突起部材の突起を上向けて該突起を健康具の上面より突出させて前記基板を嵌合でき、かつ、前記突起を下向けて前記基板と突起を嵌合し、基板の底面と健康具の上面とを面一にすることを可能とする。
【００１１】
【発明の実施の形態】
図１は、この発明に係るサンダル１の台２を示すものである。
この台２は、その上面に、突起部材３の下部を嵌合出来る凹部４を多数設けたものである。
【００１２】
凹部４は、台２の上面の全面にわたって設けてもよく、または、足裏の複数のツボのうち、１または複数のツボに対応する位置に、それぞれ１または複数個設けてもよい。
図１に示す台２は、爪先部、土踏まず、踵のツボに対応する位置に、それぞれ複数個の凹部４を設けたものである。
【００１３】
台２が軟質合成樹脂やゴム等の弾性体よりなる時には、突起部材３の下部を凹部４に押し込むと、凹部４の周壁が弾力で突起部材３を押し、突起部材３を支持する。
なお、この支持をより強固にするために、図１（Ｄ）に示すように、凹部４に嵌合する突起部材３の下部周壁に１または複数の突部５を設けるのが好ましく、また、突起部材３の底面に両面接着材を取り付けるのが好ましい。ただし、この接着材は、突起部材３の取り外しに支障のない材質のものを選ぶ。
【００１４】
台２が木や竹等弾力のない材質の場合には、使用中に突起部材３が凹部４より外れないように、突起部材３の底面に両面接着材を取り付ける。この接着材も、突起部材３の取り外しに支障のない材質のものとする。
【００１５】
突起部材３は、弾性または非弾性の何れの材料よりなるものでもよい。
【００１６】
図１（Ａ）は土踏まずのツボに対応して台２の凹部４に突起部材３を嵌合させた状態を示すものである。
この状態でサンダル１を履いて歩行すると突起部材３の先端が土踏まずのツボを押す。
【００１７】
ある時間歩行し、土踏まずの箇所に痛みを覚えたり、同一のツボを長時間押すことにより、足や体の他の部分に障害を起こすのを予防するために、突起部材３を凹部４より抜いて外し、突起部材３を取り付けない状態で歩行するか、または、突起部材３を他の足裏のツボに対応する位置、例えば踵や爪先の位置の凹部４に突起部材３を嵌合させて歩行する。
【００１８】
上記の実施の形態は、サンダルについて説明したが、本発明はサンダルに限定するものではなく、他の各種の履物の台にも実施できる。
【００１９】
突起部材３の代わりに、図２に示すように、基板６の上に突起を設けた突起部材３ａを用い、凹部４を基板６の形状に適応した凹部とし、基板６を着脱自在に凹部４に嵌合させてもよい。
突起は基板６の上に複数個設けてもよい。
基板６の底面には、接着材をとりつけるのが好ましい。
この接着材も、突起部材３ａの取り外しに支障のない材質のものとする。
【００２０】
なお、突起部材３ａを用いる場合に、凹部４の代わりに、図３（Ａ）、（Ｂ）に示すように、台２に、突起部材３ａの突起を下方に向け、基板６の底面が台２の上面と面一になるように嵌合できる凹部４ａを設けるのが好ましい。
この場合には基板６の底面に接着材を取り付けない。
【００２１】
この凹部４ａは、突起部材３ａを、突起を上にするか下にするかを選択して嵌合でき、足裏の特定のツボを押す場合には、その特定のツボに対応する部位の凹部４ａに突起を上に向けて突起部材３ａを取付け、他の部分の凹部には、突起を下に向けて突起部材３ａを取付けて使用する。
押すツボを変更したいときには、突起部材３ａの突起の上下方向を変更すればよい。
【００２２】
凹部４ａの代わりに、図３（Ｃ）、（Ｄ）に示すように、棚部４ｂを有する貫通孔４ｃを設けてもよい。
【００２３】
図４は、本発明を実施した中敷７を示す。
中敷７は、突起部材３の下部を嵌入できる貫通した孔８を多数設けたものである。
孔８は、先に説明の台２の場合と同じく、中敷７の全面にわたって設けてもよく、また、足裏の１または複数のツボに対応した位置のそれぞれに１または複数設けてもよい。
図４の中敷７は、足裏の土踏まず、踵、爪先のツボに対応した箇所に孔６を設けたものである。
孔８は、貫通孔４ｃと同じ構造のものでもよい。
【００２４】
中敷５の厚みが厚い場合には、孔８の代わりに、凹部４または４ａと同様に有底のものでもよい。
【００２５】
突起部材は３または３ａのいずれを使用してもよいが、突起部材３を用いる場合には、孔８の周壁に対向する突起部材３の下部周壁に１または複数の突部５を設けるのが好ましい。
【００２６】
この中敷７を使用する際には、１または複数のツボの位置の孔８または凹部に突起部材３の下部または突起部材３ａの基板６を嵌挿して着脱自在に装着する。図４は、土踏まずのツボに対応する位置の孔８群に突起部材３を装着した状態を示す。
【００２７】
突起部材３、３ａを装着した中敷７を靴の台の上面に敷いて歩行すれば、突起部材３、３ａが足裏のツボを押す。
一定の時間歩行して、それ以上歩行すると支障を来すと考えた時には、中敷７を靴から取り外して歩行するか、または中敷７から突起部材３を取り外して歩行する。突起部材３ａを凹部４ａに装着したときには、特定のツボを押すのを止める場合には、その特定のツボのための突起部材３ａの突起を下向きにして凹部４ａに嵌合すればよい。
歩行途中で他のツボを押したいときには、突起部材３、３ａを他のツボの位置の孔８へ差し替えて使用すればよい。
【００２８】
前記実施の形態においては、１個の突起毎の突起部材を着脱自在に凹部または孔に嵌挿取付けたが、図５に示すように、基板９に複数の突起１０を設けた突起部材１１を用い、履物の台２または中敷の上面の足裏の特定のツボに対応する部位に、基板９を嵌合できる凹部１２を設け、凹部１２に基板９を嵌合して突起部材１１を着脱自在に取付けてもよい。
基板９の底面には接着材を取付けるのが好ましい。ただし、接着材は、突起部材１１の取り外し可能な材質のものとする。
【００２９】
この突起部材１１は、刺激を希望する足裏の特定のツボに対応する部位の凹部１２に取付け、刺激を希望しないツボに対応する部位の凹部１２には、突起１０を設けないシート１３またはプレートを嵌合する。
長時間使用の弊害を避けるためには、選択する凹部１２を変え、その凹部に適合する突起部材１１を着脱自在に取付け、元の凹部１２にはシート１３またはプレートを嵌合させて使用する。
【００３０】
図６は、この発明に係る足踏台１４または足踏板の平面図である。
足踏台１４は上面に開口する多数の孔１５を設けたものである。
孔１５は、凹部４、４ａと同じく有底のものでもよく、または、孔８または貫通孔４ｃと同じく貫通孔であってもよい。
孔１５には、前述の突起部材３または３ａの下部を着脱自在に嵌挿出来るものとする。
【００３１】
足踏台１４の上面には左右の足裏の輪郭線１６を表示するのが好ましい。
更に輪郭線１６は大人用と子供用の２重の輪郭線１６とするのが好ましい。
【００３２】
孔１５は、輪郭線１６に関係なく、足踏台１４の上面の全面に多数設けてもよいが、輪郭線１６内全面に設けてもよく、または輪郭線１６内の複数のツボ位置に対応して１または複数の孔を設けてもよい。
【００３３】
足踏台１４の上面には、輪郭線１６内にのみ孔１５を設け、輪郭線１６外には、着脱出来ない突部を設けてもよい。この場合には、輪郭線１６内の孔１５に装着する突起部材３、３ａの高さを輪郭線１６外の突部の高さより高くする。
【００３４】
この足踏台１４を使用する場合には、輪郭線１６内の孔１５の全てに突起部材３または３ａを装着し、その上で足踏みして足裏を刺激するか、または、足裏のツボの１または複数のツボに対応する箇所の孔１５に突起部材３または３ａを装着し、その上で足踏みして特定のツボを刺激する。
一定時間足裏全面または特定のツボを刺激した後に、他のツボを刺激するためには、そのツボに対応する箇所の孔１５に突起部材３または３ａを差し替えてその上で足踏みする。
突起部材３ａを使用し、孔１５が凹部４ａまたは貫通孔４ｃと同じ構成のときには、刺激しない部位の孔１５には突起部材３ａを逆にして嵌合する。
【００３５】
足踏台１４の孔１５の代わりに凹部１２を設け、その凹部１２に対応する突起部材１１を用い、足裏の特定のツボに対応する部位を選択取り替えて、凹部１２に突起部材１１を取付け、突起部材を取り付けてない凹部１２にはシート１３またはプレートを嵌合して使用してもよい。
【００３６】
電気による振動台は、足踏台１４と同様の構成の振動板を電磁的に振動させるもので、孔１５を選択して突起部材３または３ａを装着し、その突起部材３または３ａの上に足裏を置いて振動板を振動させ足裏を刺激し、望みに応じて突起部材３または３ａの装着の位置を変えて、足裏の他の箇所を刺激する。
【００３７】
振動台の孔１５の代わりに凹部１２を設け、その凹部１２に対応する突起部材１１を用い、足裏の特定のツボに対応する部位を選択取り替えて、凹部１２に突起部材１１を取付け、突起部材１１を取り付けてない凹部１２にはシート１３またはプレートを嵌合して使用してもよい。
【００３８】
突起部材３、１１を磁性材料で形成すれば、磁力による刺激効果も期待できる。
【００３９】
【発明の効果】
この発明に係る足裏を刺激するための健康具は、突起部材が着脱自在に装着できるので、突起部材の装着位置を変更でき、好みに応じて足裏の全面または特定のツボを選択し、または、変更して刺激出来、長時間一定の足裏の面を押すことによる障害を避けることができる。
【図面の簡単な説明】
【図１】（Ａ）はサンダルの要部斜視図、（Ｂ）はＡ−Ａ断面部であり、（Ｃ）は突起部材装着の説明図である。
【図２】突起部材装着の説明図である。
【図３】たの実施の形態の突起部材装着の説明図である。
【図４】（Ａ）は中敷の斜視図、（Ｂ）はＢ−Ｂ断面図であり、（Ｃ）は突起部材装着の説明図である。
【図５】他の実施の形態のサンダルの、（Ａ）は要部斜視図、（Ｂ）はＡ−Ａ断面部である。
【図６】足踏台の平面図である。
【符号の説明】
１  サンダル
２  台
３  突起部材
４  凹部
５  突部
６  基板
７  中敷
８  孔
９  基板
１０  突起
１１  突起部材
１２  凹部
１３  シート
１４  足踏台
１５  孔
１６  輪郭線
【図１】
0003693554.tif 000002
【図２】
0003693554.tif 000003
【図３】
0003693554.tif 000004
【図４】
0003693554.tif 000005
【図５】
0003693554.tif 000006
【図６】
0003693554.tif 000007